【手続補正書】
【提出日】平成20年3月7日(2008.3.7)
【手続補正１】
【補正対象書類名】特許請求の範囲
【補正対象項目名】全文
【補正方法】変更
【補正の内容】
【特許請求の範囲】
【請求項１】
エネルギー管理システムであって、
前面、第１側壁及び第２側壁を有する、長手方向に延びたビームを備え、
前記第１側壁は、前記前面から間隔をおいて設けられる第１Ｕ字形部分を有し、
前記第２側壁は、前記前面から間隔をおいて設けられる第２Ｕ字形部分を有し、
衝突の力が前記ビームの前記前面に当たっている間に、前記第１側壁は、前記第１Ｕ字形部分が大きくなるように転回し、且つ前記第２側壁は、前記第２Ｕ字形部分が大きくなるように転回するエネルギー管理システム。
【請求項２】
前記ビームの前記前面に近接して配置されるエネルギー吸収体を、さらに備える請求項１に記載のエネルギー管理システム。
【請求項３】
エネルギー管理システムであって、
前面、第１側壁及び第２側壁を有する、長手方向に延びたビームと、
前記ビームの前記前面に近接して配置されるエネルギー吸収体と、
前記ビームを車両に連結するために、前記ビームの後部に係合しているマウントとを備え、
前記第１側壁は、前記前面から間隔をおいて設けられる第１Ｕ字形部分を有し、
前記第２側壁は、前記前面から間隔をおいて設けられる第２Ｕ字形部分を有し、
衝突の力が前記ビームの前記前面に当たっている間に、前記第１側壁は、前記第１Ｕ字形部分が大きくなるように転回し、且つ前記第２側壁は、前記第２Ｕ字形部分が大きくなるように転回するエネルギー管理システム。
【請求項４】
前記ビームが、前ビーム部分と、後ビーム部分とを有する請求項１または３に記載のエネルギー管理システム。
【請求項５】
前記前ビーム部分と、前記後ビーム部分とが、一体化されている請求項４に記載のエネルギー管理システム。
【請求項６】
前記前ビーム部分と、前記後ビーム部分とが、均一の厚さを有する請求項５に記載のエネルギー管理システム。
【請求項７】
前記前面、前記第１側壁及び前記第２側壁が、前記前ビーム部分上にある請求項４に記載のエネルギー管理システム。
【請求項８】
前記前ビーム部分と、前記後ビーム部分とが、機械的に連結される請求項４に記載のエネルギー管理システム。
【請求項９】
締結具が、前記前ビーム部分を、前記後ビーム部分に機械的に連結する請求項８に記載のエネルギー管理システム。
【請求項１０】
前記前ビーム部分と、前記後ビーム部分とが、溶接される請求項４に記載のエネルギー管理システム。
【請求項１１】
前記前ビーム部分及び前記後ビーム部分の第１のものは、第１側部フランジ対を有し、前記前ビーム部分及び前記後ビーム部分の第２のものは、第２側部フランジ対を有する請求項４に記載のエネルギー管理システム。
【請求項１２】
前記第２側部フランジ対は、前記前ビーム部分を前記後ビーム部分に連結するために、前記第１側部フランジ対上でかしめられる請求項１１に記載のエネルギー管理システム。
【請求項１３】
前記前ビーム部分が第１材料から成り、前記後ビーム部分が第２材料から成り、
前記第１材料は、前記第２材料とは異なる請求項１１に記載のエネルギー管理システム。
【請求項１４】
前記前面、前記第１側壁及び前記第２側壁が、前記前ビーム部分上にあり、
前記後ビーム部分は、第１側部脚及び第２側部脚を有し、
前記後ビーム部分の前記第１側部脚が、前記前ビーム部分の前記第１側壁に重なり、
前記後ビーム部分の前記第２側部脚が、前記前ビーム部分の前記第２側壁に重なる請求項４に記載のエネルギー管理システム。
【請求項１５】
前記第１側壁及び前記第２側壁のそれぞれが複数のリブを有し、それにより、前記第１側壁及び前記第２側壁を強化して、衝突の力が前記ビームの前記前面に当たっている間の前記第１側壁及び前記第２側壁の座屈を防止する請求項１または３に記載のエネルギー管理システム。
【請求項１６】
エネルギー管理システムであって、
第１ビーム部分及び第２ビーム部分を有する、長手方向に延びるビームを備え、前記第１ビーム部分及び前記第２ビーム部分の第１のものは、第１面、第１側壁及び第２側壁を有し、前記第１ビーム部分及び前記第２ビーム部分の第２のものは、第２面を有し、
前記第１側壁は、前記第１面から間隔をおいて設けられる第１Ｕ字形部分を有し、
前記第２側壁は、前記第１面から間隔をおいて設けられる第２Ｕ字形部分を有し、
衝突の力が前記第１ビーム部分の前記第１面または前記第２ビーム部分の前記第２面に当たっている間に、前記第１側壁は、前記第１Ｕ字形部分が大きくなるように転回し、且つ前記第２側壁は、前記第２Ｕ字形部分が大きくなるように転回するエネルギー管理システム。
【請求項１７】
前記第１ビーム部分及び前記第２ビーム部分の前記第１のものが、前記第１ビーム部分であり、
前記第１ビーム部分及び前記第２ビーム部分の前記第２のものが、前記第２ビーム部分であり、
衝突の力が前記第１ビーム部分の前記第１面に当たっている間に、前記第１側壁は、前記第１Ｕ字形部分が大きくなるように転回し、且つ前記第２側壁は、前記第２Ｕ字形部分が大きくなるように転回する請求項１６に記載のエネルギー管理システム。
【請求項１８】
前記第１ビーム部分の前面に近接して配置されるエネルギー吸収体を、さらに備える請求項１７に記載のエネルギー管理システム。
【請求項１９】
前記第１ビーム部分と、前記第２ビーム部分とが、一体化されている請求項１６に記載のエネルギー管理システム。
【請求項２０】
前記第１ビーム部分と、前記第２ビーム部分とが、均一の厚さを有する請求項１６に記載のエネルギー管理システム。
【請求項２１】
前記前面、前記第１側壁及び前記第２側壁が、前記第１ビーム部分上にある請求項１６に記載のエネルギー管理システム。
【請求項２２】
前記第１ビーム部分と、前記第２ビーム部分とが、機械的に連結される請求項１６に記載のエネルギー管理システム。
【請求項２３】
締結具が、前記第１ビーム部分を、前記第２ビーム部分に機械的に連結する請求項２２に記載のエネルギー管理システム。
【請求項２４】
前記第１ビーム部分と、前記第２ビーム部分とが、溶接される請求項１６に記載のエネルギー管理システム。
【請求項２５】
前記第１ビーム部分は、第１側部フランジ対を有し、第２ビーム部分は、第２側部フランジ対を有する請求項１６に記載のエネルギー管理システム。
【請求項２６】
前記第２側部フランジ対は、前記第１ビーム部分を前記第２ビーム部分に連結するために、前記第１側部フランジ対上でかしめられる請求項２５に記載のエネルギー管理システム。
【請求項２７】
前記第１側部フランジ対と、前記第２側部フランジ対とが溶接される請求項１１または１６に記載のエネルギー管理システム。
【請求項２８】
前記第１ビーム部分が第１材料から成り、前記第２ビーム部分が第２材料から成り、前記第１材料は、前記第２材料とは異なる請求項１６に記載のエネルギー管理システム。
【請求項２９】
前記前面、前記第１側壁及び前記第２側壁が、前記第１ビーム部分上にあり、
前記第２ビーム部分は、第１側部脚及び第２側部脚を有し、
前記第２ビーム部分の前記第１側部脚が、前記第１ビーム部分の前記第１側壁に重なり、前記第２ビーム部分の前記第２側部脚が、前記第１ビーム部分の前記第２側壁に重なる請求項１６に記載のエネルギー管理システム。
【請求項３０】
前記第１側壁及び前記第２側壁のそれぞれが複数のリブを有し、それにより、第１側壁及び第２側壁を強化して、衝突の力が前記第１ビーム部分の前記第１面または前記第２ビーム部分の前記第２面に当たっている間の前記第１側壁及び前記第２側壁の座屈を防止する請求項１６に記載のエネルギー管理システム。
【請求項３１】
前記第１Ｕ字形部分及び前記第２Ｕ字形部分が、外向きに延出する請求項１、３、または１６に記載のエネルギー管理システム。
【請求項３２】
前記第１Ｕ字形部分は、ビームの長手方向に対して実質的に垂直な方向に第１開口を含み、
前記第２Ｕ字形部分は、ビームの長手方向に対して実質的に垂直な方向に第２開口を含む請求項１、３、または１６に記載のエネルギー管理システム。
【請求項３３】
前記第１Ｕ字形部分は、前記ビームの前記前面に向く方向に第１開口を含み、
前記第２Ｕ字形部分は、前記ビームの前記前面に向く方向に第２開口を含む請求項１または３に記載のエネルギー管理システム。
【請求項３４】
前記第１Ｕ字形部分は、前記ビームの前記第１面に向く方向に第１開口を含み、
前記第２Ｕ字形部分は、前記ビームの前記第１面に向く方向に第２開口を含む請求項１６に記載のエネルギー管理システム。
【請求項３５】
前記第１側壁と前記第２側壁とは、実質的に平行である請求項１、３、または１６に記載のエネルギー管理システム。
【請求項３６】
前記第１側壁と前記第２側壁とは、前記前面から側方に延出し、
前記ビームは、側方向より長手方向に長い請求項１または３に記載のエネルギー管理システム。
【請求項３７】
前記第１側壁と前記第２側壁とは、前記第１面から側方に延出し、
前記ビームは、側方より長手方向に長い請求項１６に記載のエネルギー管理システム。
【請求項３８】
前記第１側壁と前記第２側壁とは、実質的に平行であり、
前記前面は、前記第１側壁と前記第２側壁との間の領域の間に延出して、それを覆う請求項１または３に記載のエネルギー管理システム。
【請求項３９】
前記第１側壁と前記第２側壁とは、実質的に平行であり、
前記第１面は、前記第１側壁と前記第２側壁との間の領域の間に延出して、それを覆う請求項１６に記載のエネルギー管理システム。
【請求項４０】
前記第１側壁は、前記第２側壁から間隔をおいて設けられ、前記第２側壁に接触しない請求項１、３、または１６に記載のエネルギー管理システム。